(57)【要約】      （修正有）【課題】軽量で設置作業の負担を軽減でき、耐候性、耐久性および耐蝕性に優れた太陽電池パネル設置用架台を提供する。【解決手段】１対の土台部材１２ａ，１２ｂが、水平かつ互いに平行に、複数の基台１１の上に固定されている。複数対の柱部材１３が、土台部材１２ａから鉛直上方に伸びるよう設けられている。複数対の傾斜支持部材１４が、土台部材１２ｂと柱部材１３の上端部とに架け渡されている。複数対の補助部材１５が、柱部材１３の下部と傾斜支持部材１４の中間部とを接続している。複数対のブレース部材１６が、２本が交差して１対を構成し、１対の柱部材１３の間に設けられて各端部で各柱部材１３に取り付けられている。横架部材１７が、各柱部材１３の上部を連結している。ガセットプレート１８ａ，１８ｂ，１８ｃ，１８ｄが、各部材同士をそれぞれの接続部で固定している。各部材は、ＦＲＰ製である。【選択図】図３
0003196162.tif 000002
【実用新案登録請求の範囲】
【請求項１】
ＦＲＰ製の複数の部材で構成されていることを、特徴とする太陽電池パネル設置用架台。
【請求項２】
ＦＲＰ製の細長い１対の土台部材と、
それぞれＦＲＰ製の細長い複数対の柱部材と傾斜支持部材と補助部材とブレース部材と、
ＦＲＰ製の細長い横架部材と、
ＦＲＰ製のガセットプレートとを有し、
各土台部材は水平かつ互いに平行に設置され、
各柱部材は一方の土台部材に鉛直上方に伸びるようそれぞれ平行に設けられ、
各傾斜支持部材はそれぞれ平行に設けられて他方の土台部材と各柱部材の上端部とに架け渡され、
各補助部材はそれぞれ平行に設けられて各柱部材の下部と各傾斜支持部材の中間部とに接続され、
各ブレース部材は２本が交差して１対を構成し、前記１対の柱部材の間に設けられて各端部で各柱部材に取り付けられ、
前記横架部材は各柱部材の上部を連結し、
前記ガセットプレートは各部材同士を固定していることを、
特徴とする太陽電池パネル設置用架台。
【請求項３】
ＦＲＰ製の複数の基台を有し、
各土台部材は前記基台の上に固定されており、
各部材はフッ素コーティングされていることを、
特徴とする請求項２記載の太陽電池パネル設置用架台。
【考案の詳細な説明】
【技術分野】
【０００１】
本考案は、太陽電池パネル設置用架台に関する。
【背景技術】
【０００２】
従来の太陽電池パネルの設置用架台として、複数のブロックの上に、鋼製のＬ字形のフレーム材を組んで架台本体を形成し、その架台本体の上に太陽電池パネルを設置可能に構成されたものがある（例えば、特許文献１参照）。
【先行技術文献】
【特許文献】
【０００３】
【特許文献１】特開平１１−１７７１１４号公報
【考案の概要】
【考案が解決しようとする課題】
【０００４】
特許文献１に記載のような従来の太陽電池パネルの設置用架台は、鋼製の部材を組んで形成されているため、錆びやすいという課題があった。また、各部材が重いため、設置作業に労力を要するという課題もあった。
【０００５】
本考案は、このような課題に着目してなされたもので、軽量で設置作業の負担を軽減することができるとともに、耐候性、耐久性および耐蝕性に優れた太陽電池パネル設置用架台を提供することを目的としている。
【課題を解決するための手段】
【０００６】
上記目的を達成するために、本考案に係る太陽電池パネル設置用架台は、ＦＲＰ製の複数の部材で構成されていることを、特徴とする。
【０００７】
本考案に係る太陽電池パネル設置用架台は、ＦＲＰ（繊維強化プラスチック）製の部材で構成されているため、風雨や温度変化に強く、耐候性、耐久性および耐蝕性に優れ、長寿命である。
【０００８】
ＦＲＰ製の部材が、同じ形状の鋼製の部材と比べて非常に軽いため、鋼製の部材を使用する場合と比べて、設置作業の負担を軽減することができる。鋼製の部材を使用する場合、運搬の際の重量を考慮して現場で組み立て作業を行っていたが、ＦＲＰ製の部材を使用することにより、あらかじめ工場などで組み立ててから運搬することができ、現場作業を短縮することができる。また、これらにより、設置コストを低減することができる。
【０００９】
本考案に係る太陽電池パネル設置用架台は、好ましくは、ＦＲＰ製の細長い１対の土台部材と、それぞれＦＲＰ製の細長い複数対の柱部材と傾斜支持部材と補助部材とブレース部材と、ＦＲＰ製の細長い横架部材と、ＦＲＰ製のガセットプレートとを有し、各土台部材は水平かつ互いに平行に設置され、各柱部材は一方の土台部材に鉛直上方に伸びるようそれぞれ平行に設けられ、各傾斜支持部材はそれぞれ平行に設けられて他方の土台部材と各柱部材の上端部とに架け渡され、各補助部材はそれぞれ平行に設けられて各柱部材の下部と各傾斜支持部材の中間部とに接続され、各ブレース部材は２本が交差して１対を構成し、前記１対の柱部材の間に設けられて各端部で各柱部材に取り付けられ、前記横架部材は各柱部材の上部を連結し、前記ガセットプレートは各部材同士を固定している構成から成る。
この場合、組立強度が高いため、確実かつ強固に太陽電池パネルを支持することができる。
【００１０】
本考案に係る太陽電池パネル設置用架台は、ＦＲＰ製の複数の基台を有し、各土台部材は前記基台の上に固定されており、各部材はフッ素コーティングされていることが好ましい。この場合、複数の基台により、より強固に設置面に固定することができる。フッ素コーティングにより、耐候性、耐久性および耐蝕性をより高めることができる。
【考案の効果】
【００１１】
本考案によれば、軽量で設置作業の負担を軽減することができるとともに、耐候性、耐久性および耐蝕性に優れた太陽電池パネル設置用架台を提供することができる。
【図面の簡単な説明】
【００１２】
【図１】本考案の実施の形態の太陽電池パネル設置用架台を示す背面図である。
【図２】図１に示す太陽電池パネル設置用架台の拡大背面図である。
【図３】図１に示す太陽電池パネル設置用架台を示す右側面図である。
【図４】図１に示す太陽電池パネル設置用架台の（ａ）第１のガセットプレートを示す正面図、（ｂ）右側面図、（ｃ）底面図、（ｄ）第２のガセットプレートを示す正面図、（ｅ）右側面図、（ｆ）底面図、（ｇ）第３のガセットプレートを示す正面図、（ｈ）右側面図、（ｉ）第４のガセットプレートを示す正面図、（ｊ）右側面図である。
【考案を実施するための形態】
【００１３】
以下、図面に基づき、本考案の実施の形態について説明する。
図１乃至図４は、本考案の実施の形態の太陽電池パネル設置用架台を示している。
図１乃至図４に示すように、太陽電池パネル設置用架台１０は、例えば、６つの基台１１と１対の土台部材１２ａ，１２ｂと、それぞれ互いに対応して５対ずつ設けられた柱部材１３と傾斜支持部材１４と補助部材１５とブレース部材１６と、横架部材１７と４種類のガセットプレート１８ａ，１８ｂ，１８ｃ，１８ｄとを有している。
【００１４】
図１乃至図３に示すように、各基台１１は、ＦＲＰ製で、ほぼ立方体形状の台部１１ａの上に、正方形状の蓋部１１ｂを載せて形成されている。各基台１１は、上面が同一水平面上になるよう、設置面に固定されている。各基台１１は、例えば、３つを１組とし、各組の３つが所定の間隔をあけて一列に並ぶとともに、各組が間隔をあけて互いに平行を成すよう配置されている。
【００１５】
各土台部材１２ａ，１２ｂは、ＦＲＰ製で細長く、それぞれ断面がＨ型の２本のＨ型材を長さ方向に接続して成っている。各土台部材１２ａ，１２ｂは、それぞれ基台１１の各組に対応して配置され、水平かつ互いに平行に設置されている。各土台部材１２ａ，１２ｂは、各Ｈ型材の両端が基台１１の上に配置され、各Ｈ型材の両側面を上下にして、各基台１１にボルトおよびナットで固定されている。
【００１６】
各柱部材１３は、ＦＲＰ製で細長く、角筒状を成している。各柱部材１３は、一方の土台部材１２ａから鉛直上方に伸びるよう互いに平行に設けられている。各傾斜支持部材１４は、ＦＲＰ製で細長く、角筒状を成している。各傾斜支持部材１４は、他方の土台部材１２ｂと対応する柱部材１３の上端部とに架け渡されて、上に太陽電池パネル１を設置可能に、互いに平行に設けられている。各補助部材１５は、ＦＲＰ製で細長く、角筒状を成している。各補助部材１５は、対応する柱部材１３の下部と対応する傾斜支持部材１４の中間部とを接続するよう、互いに平行に設けられている。
【００１７】
各対の柱部材１３、傾斜支持部材１４および補助部材１５は、２つがそれぞれ太陽電池パネル１の幅より狭い間隔をあけて配置されている。各対の柱部材１３、傾斜支持部材１４および補助部材１５は、各対毎にそれぞれ傾斜支持部材１４の上に太陽電池パネル１を設置したとき、隣り合う太陽電池パネル１が互いに重ならないよう、各対の間に所定の間隔をあけて配置されている。
【００１８】
各ブレース部材１６は、ＦＲＰ製で、薄く細長い矩形板状を成している。各対のブレース部材１６は、２本が交差して１対を構成し、１対の柱部材１３の間に設けられて各端部で各柱部材１３に取り付けられている。各対のブレース部材１６は、各対の一方の柱部材１３の上部と他方の柱部材１３の下部、一方の柱部材１３の下部と他方の柱部材１３の上部とを接続している。横架部材１７は、ＦＲＰ製で細長く、断面がＬ型の３本のＬ型材を長さ方向に接続して成っている。横架部材１７は、各ブレース部材１６より上部で、各柱部材１３を連結するよう設けられている。
【００１９】
図４に示すように、各ガセットプレート１８ａ，１８ｂ，１８ｃ，１８ｄは、ＦＲＰ製で４種類から成り、溝型材を切断して形成されている。図１乃至図３に示すように、ガセットプレート１８ａは、他方の土台部材１２ｂと傾斜支持部材１４との接続部、ガセットプレート１８ｂは、一方の土台部材１２ａと柱部材１３と補助部材１５との接続部、ガセットプレート１８ｃは、補助部材１５と傾斜支持部材１４との接続部、ガセットプレート１８ｄは、柱部材１３と傾斜支持部材１４との接続部で、それぞれ各部材同士を固定するよう設けられている。各ガセットプレート１８ａ，１８ｂ，１８ｃ，１８ｄは、左右対称の２つを１組とし、２つで各部材同士の接続部を挟み、ボルトおよびナットで各部材を固定するようになっている。
【００２０】
ＦＲＰ製の基台１１、土台部材１２ａ，１２ｂ、柱部材１３、傾斜支持部材１４、補助部材１５、ブレース部材１６、横架部材１７およびガセットプレート１８ａ，１８ｂ，１８ｃ，１８ｄは、フッ素コーティングされている。なお、太陽電池パネル設置用架台１０は、設置する太陽電池パネル１の枚数や設置場所に応じて、各部材の数量やサイズを適宜変更可能である。
【００２１】
次に、作用について説明する。
太陽電池パネル設置用架台１０は、ＦＲＰ製の部材を組んで形成されているため、風雨や温度変化に強く、耐候性、耐久性および耐蝕性に優れ、長寿命である。さらに、フッ素コーティングにより、耐候性、耐久性および耐蝕性がより高められている。
【００２２】
太陽電池パネル設置用架台１０は、ＦＲＰ製の部材が、同じ形状の鋼製の部材と比べて非常に軽いため、鋼製の部材を使用する場合と比べて、設置作業の負担を軽減することができる。鋼製の部材を使用する場合、運搬の際の重量を考慮して現場で組み立て作業を行っていたが、ＦＲＰ製の部材を使用することにより、あらかじめ工場などで組み立ててから運搬することができ、現場作業を短縮することができる。また、これらにより、設置コストを低減することができる。
【００２３】
太陽電池パネル設置用架台１０は、組立強度が高いため、確実かつ強固に太陽電池パネル１を支持することができる。また、隣り合う太陽電池パネル１が互いに重ならないよう、空間的に効率よく太陽電池パネル１を設置することができる。溝型材を切断してガセットプレート１８ａ，１８ｂ，１８ｃ，１８ｄを形成するため、成型する部材の種類を減らすことができ、部材の製造コストを低減することができる。
【符号の説明】
【００２４】
１  太陽電池パネル
１０  太陽電池パネル設置用架台
１１  基台
１２ａ，１２ｂ  土台部材
１３  柱部材
１４  傾斜支持部材
１５  補助部材
１６  ブレース部材
１７  横架部材
１８ａ，１８ｂ，１８ｃ，１８ｄ  ガセットプレート
【図１】
0003196162.tif 000003
【図２】
0003196162.tif 000004
【図３】
0003196162.tif 000005
【図４】
0003196162.tif 000006
【手続補正書】
【提出日】平成26年12月15日(2014.12.15)
【手続補正１】
【補正対象書類名】実用新案登録請求の範囲
【補正対象項目名】請求項１
【補正方法】変更
【補正の内容】
【請求項１】
ＦＲＰ製の土台部材と、前記土台部材に設けられたＦＲＰ製の柱部材とを有することを、特徴とする太陽電池パネル設置用架台。
【手続補正２】
【補正対象書類名】明細書
【補正対象項目名】０００６
【補正方法】変更
【補正の内容】
【０００６】
上記目的を達成するために、本考案に係る太陽電池パネル設置用架台は、ＦＲＰ製の土台部材と、前記土台部材に設けられたＦＲＰ製の柱部材とを有することを、特徴とする。